(57)【要約】【課題】本発明は、従来技術の問題点を解消して、発泡成形型の下型底面に注入されたポリウレタン原料が、発泡反応によりその粘度を高める前に、下型底面に立設された壁面が交差して形成される隅部に到達できるポリウレタン発泡体成形用の発泡成形型を提供することにある。【解決手段】ポリウレタン発泡体を成形する発泡成形型の下型３０において、下型３０の中央底面３３に注入されたポリウレタン原料が流れ広がる際に、隅部へ向かって流れる原料の中央部の流れがその外側の原料の流れよりも速くなるようにした流速調整部を設けた。一実施形態としての流速調整部は、下型３０に立設された壁面２２１と壁面２２２とが交差する交差部および中央底面３３で形成される隅部に向かって、中央底面３３に平面視ハ字状に配置される突条部５０である。【選択図】図１
2008213160.tif 000002
【特許請求の範囲】
【請求項１】
ポリウレタン発泡体を成形する発泡成形型の下型において、壁面が交差する隅部の下型底面には、その下型底面に注入されたポリウレタン原料が流れ広がる際に、隅部へ向かって流れる原料の中央部の流れがその外側の原料の流れよりも速くなるようにした流速調整部を設けたことを特徴とするポリウレタン発泡成形型。
【請求項２】
前記流速調整部が、前記下型底面に立設された突条部により構成されたことを特徴とする請求項１に記載のポリウレタン発泡成形型。
【請求項３】
前記突条部が、それらの間に先窄まりの空間が形成されるように前記隅部に向かって平面視ハ字状に配置される一対の突条部であることを特徴とする請求項２に記載のポリウレタン発泡成形型。
【請求項４】
前記流速調整部が、前記隅部に向かって深くなる斜面を有するように前記底面に設けられた凹部であることを特徴とする請求項１に記載のポリウレタン発泡成形型。
【請求項５】
前記斜面の開始部は、前記壁面から離れていることを特徴とする請求項４に記載のポリウレタン発泡成形型。
【請求項６】
前記壁面が、ポリウレタン原料を注入する領域を仕切る突条仕切部の側面であることを特徴とする請求項１ないし５に記載のうちいずれか一項に記載のポリウレタン発泡成形型。
【請求項７】
前記壁面の一部が、ポリウレタン発泡体の端部を形成するための前記下型の内側面であることを特徴とする請求項１ないし６に記載のうちいずれか一項に記載のポリウレタン発泡成形型。
【発明の詳細な説明】
【技術分野】
【０００１】
本発明は、表面に溝部を有する発泡成形体、特に自動車等に設置される座席シートを構成し、同シートの座部となるシートクッションや背もたれ部となるシートバックの成形に用いる発泡成形型に関する。
【背景技術】
【０００２】
図９に示すように、自動車用の座席シートの座部を構成するシートクッション１０のクッションパッドとして、ポリウレタン原料を用いて発泡成形されたクッションパッド１１が用いられている。このクッションパッド１１の表面には、前後方向溝部１３１と車幅方向溝部１３２とによって平面視Ｈ字状に溝部が形成されているものがあり、その溝部を挟んで隣り合う部分、例えば前側座部１２と左右の側部１５との硬度が異なる構成のものがある。このように部分的に硬度が異なるいわゆる異硬度クッションパッドの形成方法の一つに発泡成形型の下型底面を仕切りにより区画し、その区画された隣合う部分にそれぞれ異なる配合のポリウレタン原料を注入するものがある。この仕切りはクッションパッド１１の全高に亘る必要はないが、仕切りを設けることにより、異なる配合のポリウレタン原料が混合状態とならず、異硬度のものを明確に区画することができる。この仕切りは発泡成形型の一部である突条部として一体形成されても、別の板状体を組み込んだものであっても、どちらでもよい。（特許文献１）
また、異硬度クッションパッドであるか否かを問わず、クッションパッドの表面に凹凸曲面が存在する場合、その表面を覆う表皮材がクッションパッド表面から部分的に浮き上がることがある。この浮き上がりをなくし表皮材をクッションパッドに沿わせて装着するためには、部分的に表面材をパッドの内部へ引き付けることが必要で、その引き付け具を通すためにクッションパッドに前記のような前後方向溝部１３１及び車幅方向溝部１３２を形成し利用することがある。（特許文献２）
【特許文献１】特開２００１−７００８３号公報
【特許文献２】実開昭６１−７７９００号公報
【発明の開示】
【発明が解決しようとする課題】
【０００３】
異なる配合のポリウレタン原料を所定の領域に注入し発泡させて異硬度クッションパッドを得る特許文献１の従来技術においては、成形条件によっては空気や発泡に伴って発生されるガス（以下空気等とする）を巻き込むことがあり、発泡成形品に欠肉部等が形成される不具合がある。種々目的で配合されたウレタン原料には成形型の形状や大きさに見合った注入量や下型への注入パターンに適切な条件があるが、複数の形状・寸法の発泡成形型が混載される成形ラインでは、適切とはいえない条件を採用せざるを得ない場合がある。特に低密度のウレタン原料の注入においては、注入量が少ないため注入時間が短く、ある程度の時間を要する注入パターンは採用し難く適切な注入形態には成りえないことが多い。これを解決する為にはポリウレタン原料の注入機を各々の発泡成形型用に対応して設置することが考えられるが、これは設備上困難である。
【０００４】
そのような適切とはいえない条件下で注入され発泡されて欠肉部が形成される現象を図１０（ａ）、（ｂ）を用いて説明する。注入されたポリウレタン原料は下型の中央底面３３上を注入点から外側に広がって行く。適切とはいえない成形条件下では一点注入であることが多く、一点注入されたポリウレタン原料はほぼ同心円状に広がって行く。このとき注入されたポリウレタン原料は、発泡過程において粘度が高まり始め、前後方向突条仕切部２１１、車幅方向突条仕切部２１２および中央底面３３で形成される隅部２３に到達する頃には、空気等を隅部２３に封じ込める傾向にある。その結果、隅部２３では発泡体で満たされない空間ができ、図１０（ｂ）に示すように発泡体２５に欠肉部１４が形成される。
【０００５】
一方、クッションパッドの表皮材の部分的浮上がりを防ぐため、引き付け具を通す前後方向溝部１３１及び車幅方向溝部１３２についても、図９に示すように、この前後方向溝部１３１及び車幅方向溝部１３２の交差部に欠肉部１４の問題が生じる。
【０００６】
本発明は、上記従来技術の問題点を解消して、発泡成形型の下型底面に注入されたポリウレタン原料が、発泡反応によりその粘度を高める前に、下型底面に立設された壁面が交差して形成される隅部に到達できて、欠肉部の発生を防止できるポリウレタン発泡体成形用の発泡成形型を提供することにある。
【課題を解決するための手段】
【０００７】
上記問題点を解決すために、請求項１に記載のポリウレタン発泡成形型の発明は、ポリウレタン発泡体を成形する発泡成形型の下型において、壁面が交差する隅部の下型底面には、その下型底面に注入されたポリウレタン原料が流れ広がる際に、隅部へ向かって流れる原料の中央部の流れがその外側の原料の流れよりも速くなるようにした流速調整部を設けたことを特徴とする。
【０００８】
ここでいう「壁面」は底面に対して９０度より大きな角度を有するものも含み、壁面が平面ではないもの、例えば凹曲面、も含むものとする。
請求項２に記載の発明は、請求項１に記載の前記流速調整部が、前記下型底面に立設された突条部により構成されたことを特徴とするポリウレタン発泡成形型である。
【０００９】
請求項３に記載の発明は、請求項２に記載の前記流速調整部が、それらの間に先窄まりの空間が形成されるように前記隅部に向かって平面視ハ字状に配置される一対の突条部であることを特徴とするポリウレタン発泡成形型である。
【００１０】
ここで「ハ字状」とは二本の線の間隔が先（隅部側）に行くに従い狭くなる形状をいうが、平行のものも含むものとする。
請求項４に記載の発明は、請求項１に記載の前記流速調整部が、前記隅部に向かって深くなる斜面を有するように前記底面に設けられた凹部であることを特徴とするポリウレタン発泡成形型である。
【００１１】
請求項５に記載の発明は、請求項４に記載の前記斜面の開始部が、前記壁面から離れていることを特徴とするポリウレタン発泡成形型である。
請求項６に記載の発明は、請求項１ないし５に記載のうちいずれか一項に記載の前記壁面が、ポリウレタン原料を注入する領域を仕切る突条仕切部の側面であることを特徴とするポリウレタン発泡成形型。
【００１２】
請求項７に記載の発明は、請求項１ないし６に記載のうちいずれか一項に記載の前記壁面の一部が、ポリウレタン発泡体の端部を形成するための前記下型の内側面であることを特徴とするポリウレタン発泡成形型である。
【００１３】
（作用）
本発明においては、発泡成形型の下型底面に該底面に注入されたポリウレタン原料が流れ広がる際、その隅部へ向かって流れる原料の流速を、中央部とその外側とで相対的に変化させる流速調整部を設けたので、ポリウレタン原料の流速は流速調整部において変化する。下型底面に立設された壁面が交差して形成される隅部に向かうポリウレタン原料の流れを中央部の主流とその外側の流れである壁面に近い側の側流とに分けた場合、主流の速度は流速調整部で側流の速度に対して相対的に速められる。そのため、ポリウレタン原料は、本発明の流速調整部を設けない従来技術の下型底面に比べ、その注入点から下型底面に立設された壁面が交差して形成される隅部に速く到達し、空気等を巻き込むことなく下型底面を覆ってから発泡による膨張を開始する。
【発明の効果】
【００１４】
本発明によれば、溝部をクッションパッドに形成してもその表面側に欠肉部が形成されることを防止できる。
【発明を実施するための最良の形態】
【００１５】
（第１の実施形態）
以下、本発明を自動車の座席シートのクッションパッドを成形する発泡成形型に具体化した実施形態を図１〜図６を用いて説明する。図１は本発明の発泡成形型の下型を示す斜視図、図２はポリウレタン原料の注入状態を示す断面図、図３は発泡成形型内を発泡体が充満した状態を示す断面図、図４はその成形体であるクッションパッド１１の斜視図、図５は本発明の速度調整部を示す平面視図、図６はその作用を示す模擬図である。なお、この第１実施形態で成形されたクッションパッド１１は、背景技術において説明されたクッションパッド１１の構成とほぼ同じであり、同一構成部分については、同一の符号を付して説明を省略あるいは簡略化する。即ち、図４に示すクッションパッド１１は図９に示すクッションパッド１１の構成とほぼ同じであるが、欠肉部１４が存在しない点および凹状部５１が存在する点が異なる。凹状部５１については後述する。
【００１６】
図１に示す発泡成形型の大部分は、従来技術の異硬度クッションパッド成形用の発泡成形型とほぼ同一である。その下型３０において、クッションパッド１１に左右一対の前後方向溝部１３１と車幅方向溝部１３２を形成するために、左右一対の前後方向突条仕切部２１１と車幅方向突条仕切部２１２とが平面視Ｈ字状をなすように下型３０と一体形成されている。また、その平面視Ｈ字状の左右一対の前後方向突条仕切部２１１および車幅方向突条仕切部２１２により下型３０の底面は、前後一対の中央底面３３と左右一対の側底面３４とに仕切られている。
【００１７】
図２〜図４は本実施形態による発泡成形型を用いた発泡成形を示すものであるが、本実施形態においても成形方法については従来公知の成形とほぼ同一である。
図２において、Ｈ１は中央底面３３にポリウレタン原料を注入する注入用ヘッドを示し、Ｈ２は側底面３４にポリウレタン原料を注入する注入用ヘッドを示す。ただし、中央底面３３および側底面３４にそれぞれ異なる配合のポリウレタン原料を注入する場合であっても、昨今の成形ラインにおいては必ずしも２本の注入用ヘッドが用いられているわけではなく、一本の注入用ヘッドを用いることが多い。
【００１８】
図３は上型４０が閉じられた発泡成形型内で所要箇所に注入されたポリウレタン原料が発泡しキャビティーを充満した状態を示す。
図４は所要の硬化時間を経て脱型された発泡成形品であるクッションパッド１１を示す。本実施形態の中央底面３３の４ヶ所の隅部に一体形成された平面視ハ字状の突条部５０により成形されたクッションパッド１１には同じく平面視ハ字状の凹状部５１が４ヶ所に存在する。この凹状部５１は、後述するように幅も狭く深さも浅いので表皮材で覆われた際、表皮材を介して違和感を感じさせるほどのものではない。
【００１９】
次に図５、図６を用いて、本実施形態である中央底面３３に平面視ハ字状に配置された突条部５０の構成およびその作用を詳細に説明する。図５（ａ）は、前後方向突条仕切部２１１の壁面及び車幅方向突条仕切部２１２の壁面で形成される交差部と、中央底面３３とで形成される４ヶ所の隅部２３およびその近傍を示す平面視図である。図６は、図５で示す対向する突条部５０によりポリウレタン原料の流れの一部が流速を変化された状態を模擬的に示す平面視図である。
【００２０】
図５（ａ）に示すように、本実施形態において対向する突条部５０は、隅部２３の角度を二分する中心線Ｃに対して線対称に中央底面３３に平面視ハ字状に配置されている。また、その平面視ハ字状に配置されている突条部５０の外側面は、前後方向突条仕切部２１１及び車幅方向突条仕切部２１２のそれぞれの壁面２２１、２２２から離れて配置されている。この一対の突条部５０は平行か、そのなす角度Ｋが０度〜１８０度の範囲にあればよいが、その角度Ｋは、両突条部５０の間隔、突条部５０と隅部２３との間の距離、突条部５０の断面形状・寸法、あるいは成形条件等々により適宜選択すればよい。ただし、両突条部５０の内側の狭い部分の間隔をＷ１、前記前後方向突条仕切部２１１及び車幅方向突条仕切部２１２のそれぞれの壁面２２１、２２２と各突条部５０のそれぞれの狭い部分の間隔をＷ２としたとき、Ｗ１＞２×Ｗ２の関係は維持される方がよい。このようにすれば、両突条部５０間には隅部２３に向かって先窄まりとなる空間が形成される。本実施形態においては、図５（ｂ）に示すように突条部５０の長さＬ１を４０〜８０ｍｍ、高さＬ３を２〜５ｍｍ、図５（ｃ）に示すように幅Ｌ２を２〜３ｍｍとしている。長さＬ１の範囲について、４０ｍｍより短くした場合は流れを加速する効果が小さく、８０ｍｍを超えた長さにした場合は、得られる効果はあまり変わらないばかりか下型３０の清掃における工数を増やすだけに終わる。幅Ｌ２の範囲について、２ｍｍより狭くすれば突条部５０の強度上の問題が生じ、３ｍｍを超えると突条部５０の上面に一時的にポリウレタン原料に覆われない部分が現れることもあり、クッションパッド１１にボイド（泡状欠肉部）を生じさせる虞がある。高さＬ３の範囲について、２ｍｍより低ければポリウレタン原料は容易に突条部５０を乗り越えるため流れを加速する効果がなく、５ｍｍを超えると幅に比べて高さが高くなり突条部５０の強度上の問題が生じる。
【００２１】
図６には、発泡反応により粘度の高まる前のポリウレタン原料が流れ広がる際、その先端部が先端線Ｓ１１、Ｓ１２、Ｓ１３の順に移動する状態を模擬的に示している。ここで、主流６１は隅部２３に向かって突条部５０間を流れるポリウレタン原料の中央部の流れを示し、その外側の原料の流れを側流６２１、６２２として示す。更に、中央底面３３に平面視ハ字状に配置された突条部５０で方向を変えられた主流６１が隅部２３へ向かってその流速を速める様子、および、その先端部の先端線Ｓ１３が突条部５０の間を過ぎて広がっていく様子、等を模擬的に示している。一方、側流６２１、６２２についても前後方向突条仕切部２１１および車幅方向仕切部２１２のそれぞれの壁面２２１、２２２と各突条部５０とによって流速を速める同様の効果がある。しかし、両壁面２２１、２２２と各突条部５０との幅が狭いため抵抗が大きく、主流６１に比較して側流６２１、６２２の流速は遅いものとなる。また、側流６２１、６２２は突条部５０を迂回して流れるので隅部２３に向かう経路が若干長くなり、そのためにも主流６１に比較して側流６２１、６２２の流速は遅いものとなる。このようにして、ポリウレタン原料が発泡反応によりその粘度を高める前に隅部２３に到達するので、粘度を高めたポリウレタン原料が流れの先端で空気等を巻き込む現象は起きない。仮に多少の空気等を巻き込む現象が起きたとしても、隅部２３へ向かって流れるポリウレタン原料の中央部の流れがその外側の流れよりも早く隅部２３に到達するので、巻き込まれた空気等が逃げ場を失い発泡体の欠肉部を形成することにはならない。
【００２２】
上記実施形態のポリウレタン発泡成形型によれば、以下のような効果を得ることができる。
（１）上記実施形態では、下型３０の中央底面３３に平面視ハ字状に配置された突条部５０で流速調整部が形成されているので、発泡反応により粘度が高まる前のポリウレタン原料は、その流れ方向が規制され更にその流れが相対的に速くなる。そのため、流れの先端部が隅部２３に到達する時間が突条部５０を迂回する流れの隅部２３に到達する時間よりも短くなり、ポリウレタン原料が隅部２３に到達した後に発泡による膨張が始まるので、クッションパッド１１に欠肉部が形成されることを防止できる。
【００２３】
（２）上記実施形態では、発泡反応により粘度が高まる前の比較的流れやすいポリウレタン原料の流れ方向を規制すればよいので、突条部５０の高さを低くし幅を狭くすることができる。そのため、突条部５０で形成されるクッションパッド１１の表面の凹状部５１（図４）を表皮材で覆った場合、表皮材を介した凹部の感触をほとんど無視できる。
【００２４】
（３）欠肉部を防止するために下型３０に空気等の排出通路を設けた従来技術においてはその排出流路に離型剤等が滞留することがあるが、上記実施形態では、突条部５０で流速調整部を形成するので、このような離型剤等の除去の工数が少なくメンテナンスが容易である。
【００２５】
なお、上記実施形態は以下のように変更してもよい。
上記実施形態では、中央底面３３に平面視ハ字状に配置した突条部５０を隅部２３の中心線Ｃに対して線対称としたが、必ずしも線対称である必要はなく、突条部５０が平面視ハ字状に配置されていればよい。
【００２６】
（第２の実施形態）
次に、本発明を自動車の座席シートのクッションパッドを成形する発泡成形型に具体化した第２の実施形態を図７および図８を用いて説明する。なお本実施形態は、図５に示すように、両突条部５０間を流速調整部としたものと異なり、中央底面３３に凹部を設けて流速調整部とした。そのため、上記第１の実施形態と同様部分の説明は省き、異なる部分のみ説明するものとする。
【００２７】
図７（ａ）は、前後方向突条仕切部２１１の壁面２２１及び車幅方向突条仕切部２１２の壁面２２２で形成される交差部２４と、中央底面３３とで形成される隅部２３およびその近傍を示す平面視図である。符号７０は、前記下型３０において中央底面３３に形成された凹部を示す。凹部７０は、図７（ｃ）に示すように隅部２３に向かって深くなる斜面７２で形成されている。図７（ｂ）に示すように、凹部７０の両側に斜面７２１、７２２を形成した。後に図８を用いて詳述するが、凹部７０の斜面開始部７１０が壁面２２１や壁面２２２に接していては、隅部２３に向かって中央底面３３上を流れるポリウレタン原料の流れに流速の変化を付けられない。そのため、斜面開始部７１０と壁面２２１や壁面２２２との間は離れている必要がある。\  図８は、本実施形態の流速調整部の作用によりポリウレタン原料が流れ広がる際の先端部の移動状態を模擬的に示す平面図である。Ｓ８１〜Ｓ８４はポリウレタン原料が隅部２３に向かって移動するときの先端部の位置を時系列的に示している。符号８１は、凹部７０によりポリウレタン原料が流れる速度が加速された主流を示し、符号８２１または８２２は、中央底面３３を流れるだけで加速されない左側の側流または右側の側流を示す。図からも明らかなように、斜面７２で加速された主流８１は中央底面３３の他の部分を流れる側流８２１や側流８２２よりも隅部２３に速く到達する。そのため、ポリウレタン原料が発泡反応によりその粘度を高める前に隅部２３に到達するので、粘度を高めたポリウレタン原料が流れの先端で空気等を巻き込む現象を起こさない。
【００２８】
従って、第２の実施形態によれば、第１の実施形態に記載の効果に加えて以下の効果を得ることができる。
（１）上記第２実施形態では、流速調整部として中央底面３３に凹部７０を形成するので、発泡成形型を調整して仕上げる際に、流速調整部の効果を見ながら中央底面３３を徐々に掘り込んでいく手順を取ることができる。
【００２９】
（２）上記第２実施形態では、流速調整部として中央底面３３に凹部７０を形成したが、この凹部７０は幅広で、かつ浅くてよいので、凹部７０内にポリウレタンのバリや離型剤が残留することがほとんどなく発泡型の清掃にかける工数が少なくて済む。
【００３０】
（変形例）
なお、上記実施形態は以下のように変更してもよい。
・第２実施形態において凹部７０の両側面を垂直面にしてもよい。
・第２実施形態において斜面７２を平面で形成したが、斜面７２に代えて凹部７０を横切る断面形状を中心部が深い弧としてもよい。その際、凹部７０の左右側部を両端とする弧で結んでもよい。
・第２実施形態において図７（ｂ）に示すように凹部７０の断面形状において斜面７２１や斜面７２２を直線としたが、曲線としてもよい。
・上記のように第１および第２の実施形態においては、隅部２３が壁面２２１、壁面２２２および中央底面３３により形成される場合について示したが、隅部２３は両壁面２２１、２２２と中央底面３３とによって形成されるものに限らない。図示しないが、クッションパッド１１の前部や後部の側面を形成する下型３０内面の曲面状壁面、前後方向突条仕切部２１１の壁面２２１および中央底面３３で形成される隅部２３に臨む中央底面３３に流速調整部を設けたものでもよい。その時の流速調整部は中央底面３３に平面視ハ字状で配置される突条部５０であってもよく、中央底面３３に設けられた隅部２３に向かって深くなる斜面７２を有する凹部７０であってもよい。
【００３１】
このような場合は、下型３０内面の曲面状壁面と中央底面３３とのなす角度が直角に近い鈍角または鋭角であっても、前部や後部の側面に欠肉部のないクッションパッド１１が得られる。そのため、クッションパッド１１の意匠、特に前部や後部の側面の意匠において自由度の高い意匠を得ることができる。
・前記各実施形態では本発明を自動車のシートクッションのクッションパッドに具体化したが、本発明は、シートバックに適用されることはもとより、自動車のシート以外のポリウレタン発泡体に適用され得る。発泡成形された発泡体表面に交差する溝や、発泡体表面に端部を露出する溝を有するものであれば、本発明の効果を発揮する。
【図面の簡単な説明】
【００３２】
【図１】本発明を具体化したポリウレタン発泡成形型の下型を示す斜視図。
【図２】本発明を具体化した発泡成形型を用いた成形の原料注入状態を示す断面図。
【図３】本発明を具体化した発泡成形型を用いた成形の脱型前の状態を示す断面図。
【図４】本発明を具体化した発泡成形型を用いた発泡成形品を示す斜視図。
【図５】（ａ）は本発明の第１実施形態を示す部分平面図、（ｂ）（ｃ）はそれぞれ（ａ）のＡ−Ａ線、Ｂ−Ｂ線で示す断面図。
【図６】本発明の第１実施形態の作用を示す部分平面図。
【図７】（ａ）は本発明の第２実施形態を示す部分平面図、（ｂ）（ｃ）はそれぞれ（ａ）のＡ−Ａ線、Ｂ−Ｂ線で示す断面図。
【図８】本発明の第２実施形態の作用を示す部分平面図。
【図９】従来技術における発泡成形品を示す斜視図。
【図１０】（ａ）、（ｂ）は従来技術において発泡体に欠肉部が形成された模様を示す部分斜視図。
【符号の説明】
【００３３】
１０…シートクッション、１１…クッションパッド、１２…前側座部、１４…欠肉部、１５…側部、１３１…前後方向溝部、１３２…車幅方向溝部、２１１…前後方向突条仕切部、２１２…車幅方向突条仕切部、２２１、２２２…壁面、２３…隅部、２４…交差部、２５…発泡体、３０…下型、３３…中央底面、３４…側底面、５０…突条部、５１…凹状部、６１…主流、６２１、６２２…側流、７０…凹部、７１０…斜面開始部、７２、７２１、７２２…斜面、８１…主流、８２１、８２２…側流
【図１】
2008213160.tif 000003
【図２】
2008213160.tif 000004
【図３】
2008213160.tif 000005
【図４】
2008213160.tif 000006
【図５】
2008213160.tif 000007
【図６】
2008213160.tif 000008
【図７】
2008213160.tif 000009
【図８】
2008213160.tif 000010
【図９】
2008213160.tif 000011
【図１０】
2008213160.tif 000012